(57)【要約】  無線ネットワーク・アクセス・ポイントの制御に無関係な入力、又はそれを介して送信されたデータを感知し受信するための組込みセンサを備えた無線ネットワーク・アクセス・ポイント。
2009510922.tif 000002
【特許請求の範囲】
【請求項１】
無線ネットワーク・アクセス・ポイントと、
前記無線ネットワーク・アクセス・ポイントの制御に無関係な入力、又は前記無線ネットワーク・アクセス・ポイントを介して送信されたデータを感知し受信するためのセンサと
を含むデバイス。
【請求項２】
前記無線ネットワーク・アクセス・ポイントが、１つ又は複数のパススルー無線通信ネットワーク・ポートを含む請求項１に記載のデバイス。
【請求項３】
前記無線ネットワーク・アクセス・ポイントが、既存の有線通信ネットワーク・アクセス・ポイントで通信ネットワーク基盤に結合するように構成される請求項２に記載のデバイス。
【請求項４】
前記通信ネットワーク基盤が電話及びデータ網を含む請求項２のデバイス。
【請求項５】
前記無線ネットワーク・アクセス・ポイントを含む、壁の外部面に取り付けるためのハウジングであって、前記ハウジングを通る通路となる開口部を含むハウジングと、
前記開口部に合うように構成された取外し可能なインサートと、
前記無線ネットワーク・アクセス・ポイントを前記壁の内部の第１の通信ケーブルに接続するようにアクセス可能な第１のコネクタとをさらに含む請求項２に記載のデバイス。
【請求項６】
前記ハウジングが前記センサを包含する請求項５に記載のデバイス。
【請求項７】
前記取外し可能インサートが、前記壁の内部の第２の通信ケーブルを前記壁の外部の通信ケーブルに接続するための第２のコネクタを含む請求項５に記載のデバイス。
【請求項８】
前記取外し可能なインサートが前記センサをさらに含む請求項７に記載のデバイス。
【請求項９】
前記第２のコネクタがイーサネット（ＲＪ−４５）ジャック又は電話（ＲＪ−ｌ１）ジャックを含む請求項７に記載のデバイス。
【請求項１０】
前記取外し可能なインサートが、前記通路を通る物理アクセスを防ぐためのカバー・プレートを含む請求項５に記載のデバイス。
【請求項１１】
前記取外し可能なインサートが前記センサを含む請求項５に記載のデバイス。
【請求項１２】
前記センサが、ピグテール・コネクタを介して前記無線ネットワーク・アクセス・ポイントに電気的に結合される請求項１１に記載のデバイス。
【請求項１３】
前記センサが、組込みコネクタを介して前記無線ネットワーク・アクセス・ポイントに電気的に結合される請求項１１に記載のデバイス。
【請求項１４】
前記第１の通信ケーブルがデータ及び電力信号を搬送する請求項５に記載のデバイス。
【請求項１５】
前記無線ネットワーク・アクセス・ポイントがＩＥＥＥ  ８０２．１１規格に従って動作する請求項１に記載のデバイス。
【請求項１６】
前記センサが、
温度計と、
光検出器と、
静止画像カメラと、
ビデオカメラと、
煙検出器と、
動き検出器と、
天候センサと、
音声検出器と、
電気伝導検出器と、
それらの組合せとを含むグループから選択される請求項１に記載のデバイス。
【請求項１７】
前記センサが前記無線ネットワーク・アクセス・ポイントのハウジングに物理的に組み込まれる請求項１に記載のデバイス。
【請求項１８】
前記センサが前記無線ネットワーク・アクセス・ポイントに取外し可能に結合される請求項１に記載のデバイス。
【請求項１９】
前記センサがローカル・エリア・ネットワーク（ＬＡＮ）を介してサーバに通信可能に結合される請求項１に記載のデバイス。
【請求項２０】
前記センサが、前記無線ネットワーク・アクセス・ポイント内の、プロセッサとイーサネット・シグナリング回路へアクセスするバスに電気的に結合されるように構成される請求項１に記載のデバイス。
【請求項２１】
前記センサが、前記プロセッサと通信するリンク・ドライバに電気的に結合されたアナログ・デジタル変換器に電気的に結合された物理センシング・デバイスを含む請求項２０に記載のデバイス。
【請求項２２】
前記センサが、前記物理センシング・デバイスと前記アナログ・デジタル変換器の間に電気的に結合されたコンパンダを含む請求項２１に記載のデバイス。
【請求項２３】
前記センサが、物理センシング・デバイスからの入力と、デジタル・アナログ変換器の出力とを有するアナログ・コンパレータを含み、前記アナログ・コンパレータの出力が前記プロセッサに電気的に結合され、前記デジタル・アナログ変換器の前記出力が前記プロセッサによってプログラム可能である請求項２０に記載のデバイス。
【請求項２４】
物理的接続を介して無線ネットワーク・アクセス・ポイントに動作可能に接続するように構成されたセンサを含むデバイス。
【請求項２５】
前記センサがプロセッサに電気的に結合され、かつ前記無線ネットワーク・アクセス・ポイント内のコンピュータ・ネットワーク・シグナリング回路に電気的に結合されるように構成され、前記無線ネットワーク・アクセス・ポイントが、前記センサから受信され又は生成されたデータをパケットにカプセル化し、前記データ・パケットをネットワークを介してサーバに送信する請求項２４に記載のデバイス。
【請求項２６】
サーバと、
無線ネットワーク・アクセス・ポイントと、
物理的接続を介して前記無線ネットワーク・アクセス・ポイントに結合されたセンサとを含み、
前記サーバと前記センサが前記無線ネットワーク・アクセス・ポイントを介して通信可能に結合されるシステム。
【請求項２７】
前記無線ネットワーク・アクセス・ポイントが、前記センサからのデータをパケットにカプセル化し、ネットワークを介して前記サーバに前記データ・パケットを送信する請求項２６に記載のシステム。
【請求項２８】
前記無線ネットワーク・アクセス・ポイントが前記サーバからデータを受信し、前記受信されたデータに応答して前記センサの状態を変更する請求項２７に記載のシステム。
【発明の詳細な説明】
【技術分野】
【０００１】
本発明の実施形態は、一般には、コンピュータ・ネットワーク・アクセス・ポイントに関する。より詳細には、本発明の実施形態は、センサを備えた無線コンピュータ・ネットワーク・アクセス・ポイントに関する。
【背景技術】
【０００２】
建物内の監視システムは、敷地の状態に関する情報を日常的に収集する。これは、敷地全体にわたって配置された、目や耳の働きをするセンサを使用して行われる。センサは、環境を監視し、データを、それが処理される位置に送信する。センサが収集する情報は、２つの例だけを挙げると、侵入者の存在など、何らかの出来事の発生についての通知、又は敷地のある部分の物理的状態に関するデータを含んでいる。情報は、安全性のため、リソースの有効で効率的な管理のため、又は多くの他の理由のために収集される。しかし、この様々な情報のすべてを収集することは、難しい問題をもたらす。
【０００３】
例えば、建物全体にセンサを配置することは、多くの場合、法外に高価である。あるタイプのセンサは、安価に製造することができるが、多くの場合、センサを制御し、その出力を監視する中央処理装置への専用の信号線や管理線を必要とする。これには、多くの高価なインフラ投資が必要である。他のセンサは、こうした高価な建物基盤の改良を必要としないかもしれないが、その代わりに、それぞれが、制御のためと、センサがデータを別の位置に送信する通信プロトコルを動作させるための両方により、それ自体のプロセッサを必要とする。この要件によって、センサ自体が法外に高価になることがある。したがって、敷地を監視するためにセンサを使用することを望む人々は、多くの場合、高価な基盤改良、高価なセンサ、又は両方に直面する。
【０００４】
それと同時に、ほとんどの建物は現在、所定の位置にあるコンピュータ・ネットワーク基盤を有する。無線コンピュータ・ネットワーク・アクセス・ポイント、すなわちＷＡＰは、コンピュータ・ネットワーク基盤の重要な部分であることが多い。ＷＡＰは、敷地全体にわたって置かれ、無線ネットワーク接続性を、適切に装備されたデバイスにまで拡張する働きをする。この課題を達成するために、ＷＡＰは、ネットワーク接続、プロセッサ、その他の通信ハードウェア、すなわち敷地全体のセンシング・システムで使用されるすべての要素を備える。したがって、建物環境をセンシングするためにネットワーク基盤や建物内のＷＡＰへの投資を強化することは有益である。
【発明の開示】
【課題を解決するための手段】
【０００５】
本発明の一実施態様は、センサを備えた無線コンピュータ・ネットワーク・アクセス・ポイントである。このセンサは、無線コンピュータ・ネットワーク・アクセス・ポイントのハウジングに物理的に組み込まれるか、又は取外し可能なモジュールを含んでいる。
【０００６】
一部の実施態様では、センサは、無線コンピュータ・ネットワーク・アクセス・ポイントを介してサーバに通信可能に結合される。センサは、無線コンピュータ・ネットワーク・アクセス・ポイント内のプロセッサや、コンピュータ・ネットワーク・シグナリング回路に電気的に結合されるように構成される。無線コンピュータ・ネットワーク・アクセス・ポイントは、センサからデータを受信し、それをデータ・パケットにカプセル化し、データ・ネットワークを介してサーバにそのデータ・パケットを転送する。
【発明を実施するための最良の形態】
【０００７】
本発明の特定の実施形態は、添付の図と併せて考慮すれば、よりよく理解することができる。
【０００８】
以下の説明では、センサを備えた無線ネットワーク・アクセス・ポイントの様々な態様について述べられる。発明性のある特徴を不明瞭にしないために、本発明の当業者によって知られており理解されている特定の詳細は、この明細書に含まれていない。しかし、当業者は、この開示に基づいて本発明を作成し使用することができる。さらに、本発明は、複数の例示的な実施形態の文脈で述べられているが、本発明の範囲から逸脱せずに多くの変更が後述の諸実施形態に加えることができることは本発明の当業者に理解されよう。
【０００９】
本明細書全体を通して「一実施形態」への言及は、実施形態に関連して述べられた特定の特徴、構造又は特性が、本発明の少なくとも１つの実施形態に含まれることを意味することを理解されたい。したがって、本明細書の様々な部分の「一実施形態」又は「一代替形態」への２つ以上の言及は、必ずしもすべてが同じ実施形態に言及するものとは限らないことを強調しておくが、理解されたい。さらに、特定の特徴、構造又は特性は、本発明の１つ又は複数の実施形態に適するように組み合わされてもよい。
【００１０】
図１は、本発明の一実施形態による、センサ１２８を備えた無線コンピュータ・ネットワーク・アクセス・ポイント１００、すなわちＷＡＰの機能ブロック図を示している。ＷＡＰ  １００は、ジャック１１０を介してローカル・エリア・ネットワーク（ＬＡＮ：ｌｏｃａｌ  ａｒｅａ  ｎｅｔｗｏｒｋ）に接続される。ＷＡＰは、イーサネット（登録商標）・シグナリング・プロトコルを実装するものとして示されているが、本発明の諸特徴は、例えばトークン・リング、ＡＴＭ、ＳＯＮＥＴを含めて、様々なコンピュータ通信プロトコルの下で動作するＷＡＰに組み入まれることを理解されたい。ジャック１１０は、ＷＡＰ  １００を物理的な有線イーサネットＬＡＮ基盤に接続し、また、当技術分野で知られているパワー・オーバー・イーサネット（ＰｏＥ：Ｐｏｗｅｒ  Ｏｖｅｒ  Ｅｔｈｅｒｎｅｔ（登録商標））に従ってＷＡＰに電力を供給する。他の実施形態では、ＷＡＰ  １００は、他のいずれかの適切な手段によって電力供給される。ＷＡＰ  １００はまた、変圧器１１２と、イーサネット物理層１１４と、イーサネットＭＡＣ  １１８と、中央処理装置（ＣＰＵ：ｃｅｎｔｒａｌ  ｐｒｏｃｅｓｓｉｎｇ  ｕｎｉｔ）１２２と、ＳＤＲＡＭ  １２４と、フラッシュ１２６メモリと、ベースバンド・モデム１１６と、ＲＦトランシーバ１０６と、ダイバーシチ・アンテナ・システム１０４と、スイッチ１０２とを含む。
【００１１】
図ではベースバンド・モデム１１６とＲＦトランシーバ１０６は、サブセクション「ａ」、「ｂ」、「ｇ」を含めてＩＥＥＥ８０２．１１規格を実装するように示されているが、Ｂｌｕｅｔｏｏｔｈなどの他の無線プロトコルも、本発明の範囲から逸脱せずに実装され得る。ＷＡＰ  １００は、８０２．１１規格のサブセクション「ｂ」と「ｇ」だけを実装することによって簡略化されてもよいが、高密度のネットワーキング設定のためにサブセクション「ａ」をも実装することが好ましい。ＷＡＰ  １００は、有線ネットワークを介してＷＡＰに接続されたデバイスからデータ・パケットを受信し、次いでＷＡＰのＲＦ範囲内のデバイスにブロードキャストし又は転送し、あるいはその逆を行うことによって、有線ネットワークからのネットワーク接続性を、ＷＡＰ  １００の特定の範囲内の適切に使用可能にされたデバイスにまで拡張する。
【００１２】
ＷＡＰ  １００は、ＣＰＵ  １２２やイーサネット・シグナリング回路を通信可能に結合するバスに、電気的に結合された１つ又は複数のセンサ１２８をも含む。本発明の文脈では、用語「センサ」は、刺激に応答し、イベントを検出し、あるいは電気、機械又は光信号などの信号を出力することによって、環境に反応することができるどんなデバイスをも包含するものと広く理解されたい。さらに、単語「センサ」は、本文献全体を通して、図２、３に示されるようにセンサを含むコンポーネントの集まりと、単にセンサ自体との両方に言及するために使用される。例えば、センサは、温度計、光検出器、静止画像カメラ、ビデオカメラ、煙検出器、動き検出器、天候センサ、音声検出器又は電気センサを含むことが企図されている。センサは、センサ出力を調節し又は変更し、あるいはセンサ１２８からＣＰＵ  １２２への通信リンクをサポートするのに必要な他の任意のデバイス又は回路をも含んでもよい。センサのタイプについてのこのリストは包括的なものではなく、本発明の特定の実施形態に組み込まれる他の多くのセンサがあることを認識されたい。
【００１３】
センサの出力は、それが使用されている応用例に従ってアナログ信号であっても、デジタル信号であってもよい。センサ１２８は、ＣＰＵ  １２２から制御信号を受信する。ＷＡＰ  １００のＣＰＵ  １２２とイーサネット・シグナリング回路は、センサ１２８から出力されたデータを受信し、データ出力を１つ又は複数のデータ・パケットにパッケージ化し、コンピュータ・ネットワークを介して、ネットワークに接続された他のいずれかのデバイスにそのデータを送信する。一部の実施形態では、センサからのデータは、それが監視され又は処理される中央サーバに送信される。データをカプセル化して、別のネットワーク・デバイスに送信する助けとするために、通信プロトコル・スタックの特定の層が、ＷＡＰ１００に追加されてもよい。例えば、オープン・システム相互接続（ＯＳＩ：Ｏｐｅｎ  Ｓｙｓｔｅｍｓ  Ｉｎｔｅｒｃｏｎｎｅｃｔｉｏｎ）規格に関して、ＣＰＵ  １２２は、センサ１２８からのデータをカプセル化し、ネットワーク化された他のデバイスとの通信を管理するために、必要に応じてデータ、ネットワークやトランスポート層と共にプログラムされる。本発明の一部の実施形態では、ＴＣＰ／ＩＰなどの標準の通信プロトコルは、選択された通信プロトコルであってもよいが、本発明の範囲から逸脱せずに、他の、例えば独自仕様の通信プロトコルを使用することもできる。いくつかの実施形態では、プロトコル・スタックの層を単純化するために、センサ出力データをユーザ・データグラム・プロトコル（ＵＤＰ：Ｕｓｅｒ  Ｄａｔａｇｒａｍ  Ｐｒｏｔｏｃｏｌ）パケットで送信することが好ましい。多くの通信プロトコルが当技術分野で知られており、センサ１２８からの出力の複雑さに従ってＷＡＰ  １００にそれらを追加することができる。多くの場合、ＷＡＰの既存のハードウェアは、必要なプロトコル実装するようにプログラムすることができる。他の実施形態は、追加のハードウェアを必要とすることもある。
【００１４】
このようにして、建物の所有者は、敷地全体にわたってセンサを配置するために、コンピュータ・ネットワーク基盤への投資を強化することができる。センサは、それぞれがそれ自体のプロセッサや通信回路を含むのではなく、既存のＷＡＰハードウェアを共有するように設計することができるので、安価に製造することができる。さらに、あるとすれば少しの、追加の建物基盤の修正が必要である。上記で論じられたように、センサは、事実上無限の数の機能を提供することができる。センサは、無許可の場所に侵入者が存在することを警告し、又は敷地全体にわたって人の通行量を単に監視するために動きを検出し又はビデオをキャプチャする。他のセンサは、建物環境の制御又は電力消費制御を構築する助けとするために、様々な部屋の温度又は光をそれぞれ検出する。この情報はすべて、本発明の原理を使用して中央位置に迅速に効率的に収集することができる。
【００１５】
本発明の特定の実施形態では、センサ・データは、センサで検出され、次いでＷＡＰで処理されてデータ・パケットに形成される。次いで、データ・パケットは、ＷＡＰによってネットワークを介して転送され、サーバが受信する。サーバは、様々なセンサからそれに送信されたデータを単に記録し編纂する。他の実施形態では、サーバは、データを表示し、又は処理してもよい。サーバは、応答がコンピュータによって生成されるか、それとも人間によって生成されるかに関係なく、例えばＷＡＰプロセッサがセンサの状態を何らかのやり方で変更するための命令を含むデータ・パケットを、ネットワークを介してデバイス又はＷＡＰに送信することによってセンサ・データに応答する。
【００１６】
図２は、本発明の一部の実施形態で使用されるセンサのためのアーキテクチュアを示している。組込みセンサ・アセンブリ１２８は、ＷＡＰ  ＣＰＵ  １２２に通信可能に結合される。組込みセンサ・アセンブリは、センサ２０２と、オプション・アナログ圧縮器−伸張器（コンパンダ）２０４と、アナログ・デジタル変換器（ＡＤＣ：ａｎａｌｏｇ−ｔｏ−ｄｉｇｉｔａｌ  ｃｏｎｖｅｒｔｅｒ）２０６と、リンク・ドライバ２０８とを含んでいる。一部の実施形態では、センサ２０２は、アナログ電気信号を出力する。センサ２０２の出力は、ＡＤＣ  ２０６に電気的に結合され、デジタル信号に変換される。ＡＤＣ  ２０６に電気的に結合されたリンク・ドライバ２０８は、ＣＰＵ  １２２への信号の送信を容易にする。これは、デジタル化されたセンサ出力をＣＰＵ  １２２に送信するために通信プロトコルを確立することや、ＣＰＵ  １２２からデータとクロック信号を受信することを含んでいる。特定の実施形態では、アナログ・コンパンダ２０４は、センサ２０２とＡＤＣ  ２０６の間で電気的に結合されてもよい。常用対数増幅器などのコンパンダ２０４は、ＡＤＣ  ２０６のダイナミック・レンジを拡張する。これらのコンポーネントのうちのいずれのコンポーネントも、所与のセンサ応用例に適した当技術分野で知られているいずれかの種類のものでもよい。
【００１７】
図２のセンサ・アーキテクチュアは、ビデオデータや連続の温度プロフィルなど、連続データ出力、及び閾値やイベント・タイプ出力をサポートする。閾値検出モードで使用されるとき、閾値は、システム・ソフトウェアを介してＣＰＵ  １２２によって調整することができる。ほとんどの場合、閾値検出モードでは、ＣＰＵに対して、連続検出方法よりも著しく小さい負荷が課される。
【００１８】
図３は、本発明の一部の実施形態で使用される別のセンサのためのアーキテクチュアを示している。センサ・アセンブリ１２８は、センサ３０２と、オプション・アナログ・コンパンダ３０４と、アナログ・コンパレータ３０６と、デジタル・アナログ変換器（ＤＡＣ）３０８とを含む。一部の実施形態では、センサ３０２は、アナログ電気信号を出力する。センサの出力は、アナログ・コンパレータ３０６の１つの入力に電気的に結合される。アナログ・コンパレータ３０６の第２の入力は、ＤＡＣ  ３０８の出力である。アナログ・コンパレータは、その２つの入力信号を比較し、その比較の結果を示す信号を出力し、その信号は、ＣＰＵ  １２２に供給される。次に、ＣＰＵを使用して、入力信号をＤＡＣ  ３０８に設定する。一部の実施形態では、アナログ・コンパンダは、センサ・アセンブリ３００のダイナミック・レンジを増加させるために、センサ３０２とアナログ・コンパレータ３０６の間で電気的に結合される。このセンサ・アーキテクチュアは閾値検出器として働き、この閾値検出器では、アナログ閾値が調整可能であり、ＣＰＵ  １２２とＤＡＣ  ３０８を介してソフトウェアによって設定される。図３に示されたセンサ・アーキテクチュアは、わずかな処理電力を必要とする。図２、図３は２つの例示的なセンサ・アーキテクチュアを示しているが、当技術分野では他の多くのセンサ・アーキテクチュアが知られており、本発明の特定の実施形態で使用され得る。
【００１９】
図４〜図８は、センサを備えた無線コンピュータ・ネットワーク・アクセス・ポイントの様々な実施形態の機械設計の透視図を示している。これらの実施形態の多くの実施形態についての説明では、コネクタ、プラグ、ジャックが一般に、それぞれ異なる設計で物理的に交換可能であるという理解のもと、電気ジャック、対応するプラグ又はコネクタに言及している。さらに、多くの異なるタイプのジャック、コネクタ、ポートだけでなく異なる形状、サイズ、設計のプラグが当技術分野で知られており、また図に示され、又は下記の明細で述べられるものに取って代わることができる。
【００２０】
図４に示された設計は、組込みセンサを備えたＷＡＰである。組込みセンサを備えたＷＡＰは、一般的なＷＡＰコンポーネントを含むハウジング４０６を含み、また内蔵センサ４１０を含む。示された実施形態は、パワー・オーバー・イーサネットを使用して電源として働くこともできるＷＡＰの有線ネットワーク接続４０８をも含む。さらに、それは、パススルー有線コンピュータと、電話網ポート４０２とを含む。パススルー有線通信ネットワーク・ポートは、Ｅｘｔｒｅｍｅ  Ｎｅｔｗｏｒｋｓ（商標）に譲渡された同時係属特許出願（Ｐ９６及びＰ１０２の出願番号挿入）に教示されている。
【００２１】
ＷＡＰハウジング４０６の形状は、一般に箱状のものとして示されているが、しかし、他の形状も適している。所与の応用例に適した形状やサイズを決定するときに、機能性と美的価値観が考慮される。ＷＡＰハウジング４０６は、建物内の通信ネットワークへの有線接続を一般に収容するものなど、電気ジャンクション・ボックスで建物の壁の内部に適合するように設計してもよい。ＷＡＰハウジング４０６は、壁の外面に対して取り付け、また有線ネットワーク・アクセス・ポイントをカバーするために一般に使用されるものなどのウォール・プレートや天井マウントに取って代わり、又はそれを含むように設計することもできる。この類の構成は、統一有線／無線ネットワーク・アクセス・ウォール・プレートと呼ばれてもよく、Ｅｘｔｒｅｍｅ  Ｎｅｔｗｏｒｋｓに譲渡された、上記で参照した特許出願にも教示されている。統一有線／無線ネットワーク・アクセスのウォール・プレートは、既存の有線ネットワーク・アクセス・ポイント（建物のネットワークにＷＡＰを追加する明確な目的では取り付けられていないもの）に取り付けるように設計してもよく、既に所定位置にある有線ネットワーク・アクセス・ポイントと共に建物に容易に組み込むことができる利点が得られる。
【００２２】
ハウジング４０６は、インサート４０４を受けるように設計された通路を含む。一部の実施形態では、図４に示されるように、インサート４０４は、ユーザが建物の有線ネットワーク基盤からネットワーク・デバイスへの有線接続を作成することを可能にするジャック４１２を含んでもよい。ジャック４１２は、建物の有線ネットワーク基盤に合い得るプラグ・コネクタ４０２を備えたドングル４１４に接続されてもよい。一部の実施形態では、これらは、タイプＲＪ−１１とＲＦ−４５コネクタ・アセンブリである。これらは、ＷＡＰアセンブリ４００を介して有線ネットワーク接続の拡張として働くので、パススルー・ポートと呼ばれる。有線ネットワーク接続は、ＷＡＰアセンブリ４００によって著しく変更されない。他の実施形態では、パススルー有線通信ポートは不必要であることもあり、その場合、インサートは単に、不正変更又は汚染されないように通路を密閉するためのカバー・プレートを含んでもよい。統一有線／無線ネットワーク・アクセス・ウォール・プレートを使用する本発明の実施形態では、ＷＡＰを通る通路の位置、形状、サイズは、国によってウォール・プレートの設計が一般に異なるなど、共通のどんなネットワーク接続ウォール・プレートの構成にも対処するように選択することができる。さらに、図示されていないが、通路は、有線ネットワーク接続４０８を通路の内壁に置くための追加のスペースを伴うように設計することもできる。こうした設計は、ＷＡＰハウジング４０６の裏面が壁又は他の平面に対してより容易に平らになることを可能にし、接続を不正変更されないように物理的な安全性をもたらす。したがって、図４は、内臓センサを備えた統一有線／無線ネットワーク・アクセス・ウォール・プレートを示している。この設計によって、有線及び無線ネットワークの接続性と、一体の小さな形状のデバイスのセンシング機能がユーザに提供される。
【００２３】
内臓センサを備えたＷＡＰを示す図４とは異なり、図５は、本発明の特定の実施形態に組み込むことができる取外し可能なセンサの設計を示す。取外し可能センサを組み込む実施形態では、ＷＡＰは、異なるセンサが接続される物理的なプラットフォームとして働く。センサは、特定のＷＡＰで、また特定の位置でどの種類のセンサを使用するかを選択するより大きい柔軟性をユーザに提供するために取外し可能にされる。ユーザは、必要ならば、取外し可能センサを容易に交換し、置き換え又はアップグレードすることもできる。一部の実施形態では、取外し可能センサ・モジュール５０２は取付けクリップ５０４と、ピグテール・コネクタ５０６とを含む。
【００２４】
一般に、取外し可能センサは、どんな位置でもＷＡＰに接続できるように設計されている。しかし、図６は、センサがインサート６０４に取り付けられるように設計される取外し可能センサを備えたＷＡＰの一実施形態を示しており、このインサート６０４は、ＷＡＰハウジング６０２を通る通路６１６内に受け入れられる。取付けクリップ５０４は、取外し可能センサをインサート６０４にしっかり合わせることを可能にする。ピグテール・コネクタ５０６は、取外し可能なセンサ・モジュール５０２をＷＡＰに電気的に結合するためにＷＡＰハウジング６０２の裏側のジャックに挿入される。インサート６０４は、単一の取外し可能センサ・モジュール５０２、１つの取外し可能センサ・モジュール５０２、図６に示されたような１つの通信ネットワーク・ジャック６０８、又は２つの取外し可能センサ・モジュール５０２を含むように設計することができる。他の構成も可能であり、当業者の理解の範囲内である。
【００２５】
図７は、本発明の特定の実施形態に組み込むことができる取外し可能センサの別の設計を示している。センサ・モジュール７０２は、コネクタ・クリップ７０４と組込み電気コネクタ７０６を含む。組込み電気コネクタ７０６は、それがＷＡＰ上の対応するジャックに適切に合う任意の形、サイズ、ピンカウントなどのものでよい。図７の取外し可能センサは、どんな位置にでもＷＡＰに接続するように設計することができるが、図８は、取外し可能センサ・モジュール７０２がＷＡＰハウジング８０２に通路８０８内部で接続し、通路８０８の内表面上のジャック（図示せず）を介してＷＡＰ回路に電気的に結合されるように設計されている一実施形態を示している。取外し可能センサ・モジュールは、ＷＡＰハウジング８０２を通る通路８０８内に受け入れられている、図６に示されるものなどのインサート６０４に取り付けるように設計してもよい。他の実施形態では、取外し可能センサ・モジュール７０２は、通路８０８内で直接受けられてもよい。取外し可能センサ・モジュール７０２は、パススルー通信ネットワーク接続によって占有された残りの部分と共に、通路８０８の全体又は通路８０８の一部を占有するように設計してもよい。
【００２６】
特定の例示的な実施形態について述べ、添付の図面に示したが、こうした実施形態は、限定的ではなく、例示的なものにすぎず、また本発明の諸実施形態は、本開示についてよく調べると当業者には他の様々な修正が思いつくであろうので、示され述べられた特定の構成や配置に限定されないことを理解されたい。同様に、本発明の例示的な実施形態、本発明の様々な特徴についての上記説明は、本発明の様々な態様のうちの１つ又は複数を理解する助けとなる本開示を簡素化するために、単一の実施形態、図、又はそれについての説明にまとめられることがあることを理解されたい。しかし、この開示方法は、特許請求の範囲に記載された本発明が、各請求項に明示的に記載されたものより多くの特徴を要するものであることの意図を示すものと解釈すべきでない。そうではなく、添付の特許請求の範囲に示されるように、発明の態様は、開示された上記の単一の実施形態の１組のすべての特徴には満たないものにある。
【図面の簡単な説明】
【００２７】
【図１】センサを備えた無線コンピュータ・ネットワーク・アクセス・ポイントの機能ブロック図である。
【図２】本発明の実施形態で使用することができるあるセンサのためのアーキテクチュアの機能ブロック図である。
【図３】本発明の実施形態で使用することができる別のセンサのためのアーキテクチュアの機能ブロック図である。
【図４】組込みセンサを備えた無線コンピュータ・ネットワーク・アクセス・ポイントの透視図である。
【図５】本発明の一部の実施形態に組み込むことができる取外し可能センサ・モジュールの透視図である。
【図６】取外し可能センサ・モジュールを備えた無線コンピュータ・ネットワーク・アクセス・ポイントの正面及び背面透視図である。
【図７】本発明の一部の実施形態に組み込むことができる取外し可能センサ・モジュールの別の例の透視図である。
【図８】取外し可能センサ・モジュールを備えた無線コンピュータ・ネットワーク・アクセス・ポイントの別の例の後部透視図である。
【図１】
2009510922.tif 000003
【図２】
2009510922.tif 000004
【図３】
2009510922.tif 000005
【図４】
2009510922.tif 000006
【図５】
2009510922.tif 000007
【図６】
2009510922.tif 000008
【図７】
2009510922.tif 000009
【図８】
2009510922.tif 000010
【国際調査報告】
2009510922.tif 000011
2009510922.tif 000012
2009510922.tif 000013